(57)【特許請求の範囲】
【請求項１】
筒状の第１の外部導体及び該第１の外部導体に囲まれている第１の中心導体を備えている同軸コネクタレセプタクルが装着される同軸コネクタプラグであって、
上下方向に延在する筒状をなし、かつ、上端と下端をつなぐスリットが設けられている第２の外部導体と、
前記第２の外部導体に囲まれている第２の中心導体と、
前記スリット内に位置している蓋部材と、
を備えており、
前記第２の外部導体には、前記第１の外部導体が下側から挿入され、
前記第２の中心導体には、前記第１の中心導体が接続されること、
を特徴とする同軸コネクタプラグ。
【請求項２】
前記第２の外部導体の上端を覆うように設けられているベース部材を、
更に備えており、
前記蓋部材は、前記ベース部材に設けられていること、
を特徴とする請求項１に記載の同軸コネクタプラグ。
【請求項３】
前記同軸コネクタプラグは、
前記第２の中心導体に接続されている第２の中心導体用外部端子と、
前記第２の外部導体と接続されている第２の外部導体用外部端子と、
を更に備えており、
前記蓋部材は、絶縁性材料により作製されており、
前記第２の中心導体用外部端子は、前記蓋部材の上側に設けられていること、
を特徴とする請求項１又は請求項２のいずれかに記載の同軸コネクタプラグ。
【請求項４】
前記蓋部材と前記第２の外部導体とは接触していないこと、
を特徴とする請求項１ないし請求項３のいずれかに記載の同軸コネクタプラグ。
【請求項５】
筒状の第２の外部導体及び該第２の外部導体に囲まれている第２の中心導体を備えている同軸コネクタプラグが装着される同軸コネクタレセプタクルであって、
上下方向に延在する筒状をなし、かつ、上端と下端をつなぐスリットが設けられている第１の外部導体と、
前記第１の外部導体に囲まれている第１の中心導体と、
前記スリットに設けられている蓋部材と、
を備えており、
前記第１の外部導体は、前記第２の外部導体に対して下側から挿入され、
前記第１の中心導体には、前記第２の中心導体が接続されること、
を特徴とする同軸コネクタレセプタクル。
【発明の詳細な説明】
【技術分野】
【０００１】
本発明は、同軸コネクタプラグ及び同軸コネクタレセプタクルに関し、より特定的には、筒状の外部導体及び外部導体に囲まれている中心導体を備えている同軸コネクタプラグ及び同軸コネクタレセプタクルに関する。
【背景技術】
【０００２】
従来の同軸コネクタプラグとしては、例えば、特許文献１に記載の同軸コネクタ装置が知られている。図１３は、同軸コネクタ装置５００の外観斜視図である。【０００３】
同軸コネクタ装置５００は、図１３に示すように、信号接続用接触導体５０２、接地接続用接触導体５０４及び絶縁基体５０６を備えている。絶縁基体５０６は、平面視したときに矩形状をなすベース部材である。信号接続用接触導体５０２は、絶縁基体５０６の中心から上側に突出している。接地接続用接触導体５０４は、信号接続用接触導体５０２の周囲を囲む円筒形状をなしている。また、接地接続用接触導体５０４には、上下方向に延在するスリット５０８が設けられている。【０００４】
以上のように構成された同軸コネクタ装置５００は、相手方同軸コネクタ装置に接続される。具体的には、接地接続用接触導体５０４には、相手方同軸コネクタ装置の接地用接触導体が挿入される。接地接続用接触導体５０４にはスリット５０８が設けられているので、接地接続用接触導体５０４は容易に変形することができる。その結果、接地接続用接触導体５０４に対して相手方同軸コネクタ装置の接地用接触導体が容易に挿入される。【０００５】
しかしながら、特許文献１に記載の同軸コネクタ装置５００は、実装時に吸着ノズルにより安定して吸着することが困難であるという問題を有する。より詳細には、同軸コネクタ装置５００が回路基板に実装される際には、同軸コネクタ装置５００を吸着ノズルにて吸着し、回路基板上に位置合わせする。その後、はんだ等により同軸コネクタ装置５００を回路基板に固定する。ところが、同軸コネクタ装置５００の接地接続用接触導体５０４にはスリット５０８が設けられているので、吸着ノズルにより同軸コネクタ装置５００が吸着された際に、スリット５０８より接地接続用接触導体５０４内に空気が入ってしまう。そのため、同軸コネクタ装置５００が吸着ノズルにより安定して吸着されない。
【先行技術文献】
【特許文献】
【０００６】
【特許文献１】特開２００９−１４０６８７号公報
【発明の概要】
【発明が解決しようとする課題】
【０００７】
そこで、本発明の目的は、吸着ノズルにより安定して吸着することが可能な同軸コネクタプラグ及び同軸コネクタレセプタクルを提供することである。
【課題を解決するための手段】
【０００８】
本発明の一形態に係る同軸コネクタプラグは、筒状の第１の外部導体及び該第１の外部導体に囲まれている第１の中心導体を備えている同軸コネクタレセプタクルが装着される同軸コネクタプラグであって、上下方向に延在する筒状をなし、かつ、上端と下端をつなぐスリットが設けられている第２の外部導体と、前記第２の外部導体に囲まれている第２の中心導体と、前記スリット内に位置している蓋部材と、を備えており、前記第２の外部導体には、前記第１の外部導体が下側から挿入され、前記第２の中心導体には、前記第１の中心導体が接続されること、を特徴とする。【０００９】
本発明の一形態に係る同軸コネクタレセプタクルは、筒状の第２の外部導体及び該第２の外部導体に囲まれている第２の中心導体を備えている同軸コネクタプラグが装着される同軸コネクタレセプタクルであって、上下方向に延在する筒状をなし、かつ、上端と下端をつなぐスリットが設けられている第１の外部導体と、前記第１の外部導体に囲まれている第１の中心導体と、前記スリットに設けられている蓋部材と、を備えており、前記第１の外部導体は、前記第２の外部導体に対して下側から挿入され、前記第１の中心導体には、前記第２の中心導体が接続されること、を特徴とする。
【発明の効果】
【００１０】
本発明によれば、吸着ノズルにより安定して吸着できる。
【図面の簡単な説明】
【００１１】
【図１】本発明の一実施形態に係る同軸コネクタプラグの外観斜視図である。
【図２】同軸コネクタプラグの外部導体部の外観斜視図である。
【図３】同軸コネクタプラグの中心導体部の外観斜視図である。
【図４】同軸コネクタプラグの絶縁体の外観斜視図である。
【図５】中心導体部と絶縁体とが組み立てられたときの外観斜視図である。
【図６】本発明の一実施形態に係る同軸コネクタレセプタクルの外観斜視図である。
【図７】同軸コネクタレセプタクルの外部導体部の外観斜視図である。
【図８】同軸コネクタレセプタクルの中心導体部の外観斜視図である。
【図９】同軸コネクタレセプタクルの絶縁体の外観斜視図である。
【図１０】図１０（ａ）は、取り付け前の同軸コネクタプラグ及び同軸コネクタレセプタクルの断面構造図であり、図１０（ｂ）は、取り付け後の同軸コネクタプラグ及び同軸コネクタレセプタクルの断面構造図である。
【図１１】同軸コネクタプラグを吸着ノズルにより吸着した際の断面構造図である。
【図１２】変形例に係る同軸コネクタレセプタクルの外観斜視図である。
【図１３】特許文献１に記載の同軸コネクタ装置の外観斜視図である。
【発明を実施するための形態】
【００１２】
以下に、本発明の実施形態に係る同軸コネクタプラグ及び同軸コネクタレセプタクルについて説明する。
【００１３】
（同軸コネクタプラグの構成）
まず、本発明の一実施形態に係る同軸コネクタプラグについて図面を参照しながら説明する。図１は、本発明の一実施形態に係る同軸コネクタプラグ１０の外観斜視図である。図２は、同軸コネクタプラグ１０の外部導体部１２の外観斜視図である。図３は、同軸コネクタプラグ１０の中心導体部１４の外観斜視図である。図４は、同軸コネクタプラグ１０の絶縁体１６の外観斜視図である。図５は、中心導体部１４と絶縁体１６とが組み立てられたときの外観斜視図である。
【００１４】
以下では、図１において、絶縁体１６の法線方向をｚ軸方向と定義し、ｚ軸方向から平面視したときに、絶縁体１６の２辺に平行な方向をｘ軸方向及びｙ軸方向と定義する。ｘ軸方向、ｙ軸方向及びｚ軸方向は、互いに直交している。また、ｚ軸方向は鉛直方向と平行である。
【００１５】
ただし、同軸コネクタプラグ１０には、後述する同軸コネクタレセプタクルが下側から装着される。すなわち、同軸コネクタプラグ１０の使用時には、同軸コネクタプラグ１０は、開口が下方を向いた状態で用いられる。したがって、図１の下方向が鉛直方向の上方向を意味し、図１の上方向が鉛直方向の下方向を意味する。そこで、図１の下方向をｚ軸方向の正方向と定義し、図１の上方向をｚ軸方向の負方向と定義する。
【００１６】
同軸コネクタプラグ１０は、フレキシブルプリント基板のような回路基板上に実装され、図１に示すように、外部導体部１２、中心導体部１４及び絶縁体１６を備えている。
【００１７】
外部導体部１２は、導電性及び弾性を有する１枚の金属板（例えば、りん青銅）に打ち抜き加工及び折り曲げ加工を施すことにより作製されている。更に、外部導体部１２には、銀メッキ又は金メッキが施されている。外部導体部１２は、図１及び図２に示すように、外部導体１２ａ及び外部端子１２ｂ〜１２ｄを含んでいる。外部導体１２ａは、図１及び図２に示すように、ｚ軸方向に延在する円筒形状をなしている。
【００１８】
また、外部導体１２ａには、スリットＳが設けられている。スリットＳは、外部導体１２ａのｚ軸方向の正方向側の端部（上端）とｚ軸方向の負方向側の端部（下端）との間を直線的につなぐように設けられている。これにより、外部導体１２ａは、ｚ軸方向の負方向側から平面視したときに、円環状につながっておらず、Ｃ字型をなしている。
【００１９】
外部端子１２ｂ〜１２ｄは、外部導体１２ａに接続され、かつ、外部導体１２ａのｚ軸方向の正方向側に設けられている。外部端子１２ｂは、外部導体１２ａからｚ軸方向の正方向側に引き出されていると共に、ｘ軸方向の負方向側に折り返されている。外部端子１２ｃは、外部導体１２ａからｚ軸方向の正方向側に引き出されていると共に、ｙ軸方向の正方向側に折り返されている。また、外部端子１２ｃは、ｚ軸方向から平面視したときにＴ字型をなしている。外部端子１２ｄは、外部導体１２ａからｚ軸方向の正方向側に引き出されていると共に、ｙ軸方向の負方向側に折り返されている。また、外部端子１２ｄは、ｚ軸方向から平面視したときにＴ字型をなしている。
【００２０】
中心導体部１４は、１枚の金属板（例えば、りん青銅）に打ち抜き加工及び折り曲げ加工を施すことにより作製されている。更に、中心導体部１４には、銀メッキ又は金メッキが施されている。中心導体部１４は、図１及び図３に示すように、中心導体１４ａ及び外部端子１４ｂを備えている。
【００２１】
中心導体１４ａは、図１に示すように、外部導体１２ａの中心においてｚ軸方向に延在するように設けられている。すなわち、中心導体１４ａは、ｚ軸方向から平面視したときに、外部導体１２ａに囲まれている。また、中心導体１４ａは、図３に示すように、ｚ軸方向に延在している円筒形状をなしている。中心導体１４ａには、上下方向に延在する３つのスリットが設けられている。これにより、中心導体１４ａは、水平方向に僅かに広がることが可能である。
【００２２】
外部端子１４ｂは、図３に示すように、中心導体１４ａのｚ軸方向の正方向側の端部に接続され、かつ、ｘ軸方向の正方向側に向かって延在している。外部端子１４ｂは、図１に示すように、ｚ軸方向から平面視したときに、外部導体１２ａの中心を挟んで外部端子１２ｂと対向している。
【００２３】
絶縁体１６は、樹脂等の絶縁性材料により作製されているベース部材であり、図１及び図４に示すように、ベース部１６ａ及び突起１６ｂを含んでいる。ベース部１６ａは、ｚ軸方向から平面視したときに、矩形状をなしている。ただし、ベース部１６ａには、切り欠きＣ１〜Ｃ３が設けられている。切り欠きＣ１は、ベース部１６ａのｘ軸方向の負方向側の辺の中央部分が除去されることにより形成されている。切り欠きＣ２は、ベース部１６ａのｙ軸方向の正方向側の辺の中央部分が除去されることにより形成されている。切り欠きＣ３は、ベース部１６ａのｙ軸方向の負方向側の辺の中央部分が除去されることにより形成されている。
【００２４】
突起１６ｂは、ベース部１６ａのｘ軸方向の正方向側の辺の中央部分がｚ軸方向の負方向側に突出することにより形成されている。
【００２５】
中心導体部１４と絶縁体１６とは、インサートモールド成形により一体成形されている。これにより、中心導体１４ａは、ベース部１６ａの中央よりｚ軸方向の負方向側に向かって突出している。更に、中心導体部１４の外部端子１４ｂは、突起１６ｂのｚ軸方向の正方向側において、絶縁体１６からｘ軸方向の正方向側に引き出されている。
【００２６】
また、外部導体部１２は、絶縁体１６に対して取り付けられている。より詳細には、外部端子１２ｂ〜１２ｄが切り欠きＣ１〜Ｃ３を介して絶縁体１６のｚ軸方向の正方向側に引き出されている。外部導体１２ａのｚ軸方向の正方向側の端部は、絶縁体１６のベース部１６ａにより覆われている。また、突起１６ｂは、図１に示すように、スリットＳ内に位置している。すなわち、突起１６ｂは、スリットＳを塞ぐ蓋部材として機能している。ただし、突起１６ｂは、外部導体１２ａには接触していない。すなわち、突起１６ｂと外部導体１２ａとの間にはわずかな隙間が存在している。これにより、外部導体１２ａは、その直径が小さくなる方向にわずかに変形できる。
【００２７】
（同軸コネクタレセプタクル）
次に、本発明の一実施形態に係る同軸コネクタプラグ１０に装着される同軸コネクタレセプタクルについて図面を参照しながら説明する。図６は、本発明の一実施形態に係る同軸コネクタレセプタクル１１０の外観斜視図である。図７は、同軸コネクタレセプタクル１１０の外部導体部１１２の外観斜視図である。図８は、同軸コネクタレセプタクル１１０の中心導体部１１４の外観斜視図である。図９は、同軸コネクタレセプタクル１１０の絶縁体１１６の外観斜視図である。
【００２８】
以下では、図１において、絶縁体１１６の法線方向をｚ軸方向と定義し、ｚ軸方向から平面視したときに、絶縁体１１６の２辺に平行な方向をｘ軸方向及びｙ軸方向と定義する。ｘ軸方向、ｙ軸方向及びｚ軸方向は、互いに直交している。また、ｚ軸方向は鉛直方向と平行である。
【００２９】
ただし、同軸コネクタレセプタクル１１０は、同軸コネクタプラグ１０に対して下側から装着される。すなわち、同軸コネクタレセプタクル１１０の使用時には、同軸コネクタレセプタクル１１０は、開口が上方を向いた状態で用いられる。したがって、図６の上方向が鉛直方向の上方向を意味し、図６の下方向が鉛直方向の下方向を意味する。そこで、図６の上方向をｚ軸方向の正方向と定義し、図６の下方向をｚ軸方向の負方向と定義する。
【００３０】
同軸コネクタレセプタクル１１０は、フレキシブルプリント基板のような回路基板上に実装され、図６に示すように、外部導体部１１２、中心導体部１１４及び絶縁体１１６を備えている。
【００３１】
外部導体部１１２は、導電性及び弾性を有する１枚の金属板（例えば、りん青銅）に打ち抜き加工及び折り曲げ加工を施すことにより作製されている。更に、外部導体部１１２には、銀メッキ又は金メッキが施されている。外部導体部１１２は、図６及び図７に示すように、外部導体１１２ａ及び外部端子１１２ｂ〜１１２ｄを含んでいる。外部導体１１２ａは、図６及び図７に示すように、ｚ軸方向に延在する円筒形状をなしている。
【００３２】
外部端子１１２ｂ〜１１２ｄは、外部導体１１２ａに接続され、かつ、外部導体１１２ａのｚ軸方向の負方向側に設けられている。外部端子１１２ｂは、外部導体１１２ａからｚ軸方向の負方向側に引き出されていると共に、ｘ軸方向の正方向側に折り返されている。外部端子１１２ｃは、外部導体１１２ａからｚ軸方向の負方向側に引き出されていると共に、ｙ軸方向の正方向側に折り返されている。また、外部端子１１２ｃは、ｚ軸方向から平面視したときにＴ字型をなしている。外部端子１１２ｄは、外部導体１１２ａからｚ軸方向の負方向側に引き出されていると共に、ｙ軸方向の負方向側に折り返されている。また、外部端子１１２ｄは、ｚ軸方向から平面視したときにＴ字型をなしている。
【００３３】
中心導体部１１４は、１枚の金属板（例えば、りん青銅）に打ち抜き加工及び折り曲げ加工を施すことにより作製されている。更に、中心導体部１１４には、銀メッキ又は金メッキが施されている。中心導体部１１４は、図６及び図８に示すように、中心導体１１４ａ及び外部端子１１４ｂを備えている。
【００３４】
中心導体１１４ａは、図６に示すように、外部導体１１２ａの中心においてｚ軸方向に延在するように設けられている。すなわち、中心導体１１４ａは、ｚ軸方向から平面視したときに、外部導体１１２ａに囲まれている。そして、中心導体１１４ａは、図８に示すように、ｚ軸方向に延在している円柱形状をなしている。
【００３５】
外部端子１１４ｂは、図８に示すように、中心導体１１４ａのｚ軸方向の負方向側の端部に接続され、かつ、ｘ軸方向の負方向側に向かって延在している。外部端子１１４ｂは、図６に示すように、ｚ軸方向から平面視したときに、外部導体１１２ａの中心を挟んで外部端子１１２ｂと対向している。
【００３６】
絶縁体１１６は、樹脂等の絶縁性材料により作製され、図６及び図９に示すように、ｚ軸方向から平面視したときに、矩形状をなしている。ただし、絶縁体１１６には、切り欠きＣ４が設けられている。切り欠きＣ４は、絶縁体１１６のｘ軸方向の正方向側の辺の中央部分が除去されることにより形成されている。
【００３７】
外部導体部１１２と中心導体部１１４と絶縁体１１６とは、インサートモールド成形により一体成形されている。これにより、外部導体１１２ａは、絶縁体１１６の中央よりｚ軸方向の正方向側に向かって突出している。更に、外部導体１１２ａのｚ軸方向の負方向側の端部は、絶縁体１１６により覆われている。外部端子１１２ｂは、切り欠きＣ４を介して絶縁体１１６外に引き出されている。更に、外部端子１１２ｃ，１１２ｄはそれぞれ、絶縁体１１６のｙ軸方向の正方向側の辺及び負方向側の辺からに引き出されている。また、中心導体１１４ａは、外部導体１１２ａに囲まれた領域内において絶縁体１１６からｚ軸方向の正方向側に向かって突出している。また、外部端子１１４ｂは、、絶縁体１１６からｘ軸方向の正方向側に引き出されている。
【００３８】
（同軸コネクタレセプタクルの同軸コネクタプラグへの取り付け）
以下に、同軸コネクタレセプタクル１１０の同軸コネクタプラグ１０への取り付けについて図面を参照しながら説明する。図１０（ａ）は、取り付け前の同軸コネクタプラグ１０及び同軸コネクタレセプタクル１１０の断面構造図であり、図１０（ｂ）は、取り付け後の同軸コネクタプラグ１０及び同軸コネクタレセプタクル１１０の断面構造図である。
【００３９】
図１０（ａ）に示すように、同軸コネクタプラグ１０は、外部導体１２ａの開口がｚ軸方向の負方向側を向いた状態で用いられる。そして、図１０（ｂ）に示すように、同軸コネクタレセプタクル１１０は、同軸コネクタプラグ１０に対してｚ軸方向の負方向側から装着される。具体的には、外部導体１１２ａは、外部導体１２ａに対してｚ軸方向の負方向側から挿入される。外部導体１１２ａの外周面の径は、外部導体１２ａの内周面の径よりも僅かに大きく設計されている。そのため、外部導体１１２ａの外周面は、外部導体１２ａの内周面に圧接し、外部導体１２ａは、外部導体１１２ａにより水平方向に押し広げられる。すなわち、外部導体１２ａは、スリットＳ全体の幅が大きくなるように広がる。そして、外部導体１２ａの内周面の凹凸と外部導体１１２ａの外周面の凹凸とが係合する。これにより、外部導体１２ａは、外部導体１１２ａを保持する。外部導体１２ａ，１１２ａは、使用時には、接地電位に保たれる。
【００４０】
更に、中心導体１４ａは、中心導体１１４ａと接続される。具体的には、中心導体１１４ａは、図１０（ｂ）に示すように、円筒形状の中心導体１４ａ内に挿入される。中心導体１１４ａの外周面の径は、中心導体１４ａの内周面の径よりも僅かに大きく設計されている。そのため、中心導体１１４ａの外周面は、中心導体１４ａの内周面に圧接し、中心導体１４ａは、中心導体１１４ａにより水平方向に反るように押し広げられる。これにより、中心導体１４ａは、中心導体１１４ａを保持する。中心導体１４ａ，１１４ａには、使用時には、信号電流が流れる。
【００４１】
（効果）
以上のように構成された同軸コネクタプラグ１０によれば、実装時に吸着ノズルにより安定して吸着することが可能である。図１１は、同軸コネクタプラグ１０を吸着ノズル２００により吸着した際の断面構造図である。
【００４２】
特許文献１に記載の同軸コネクタ装置５００では、接地接続用接触導体５０４にスリット５０８が設けられているので、吸着ノズルにより同軸コネクタ装置５００が吸着された際に、スリット５０８より接地接続用接触導体５０４内に空気が入ってしまう。そのため、同軸コネクタ装置５００が吸着ノズルにより安定して吸着されない。
【００４３】
一方、同軸コネクタプラグ１０では、図１及び図１１に示すように、スリットＳ内に位置する突起１６ｂが設けられている。これにより、図１１に示すように、吸着ノズル２００によって外部導体１１２ａ内の空気が吸引されたとしても、スリットＳが突起１６ｂにより塞がれているので、スリットＳを介して外部導体１１２ａ内に空気が入りにくくなる。その結果、同軸コネクタプラグ１０は、吸着ノズル２００により安定して吸着されるようになる。
【００４４】
また、同軸コネクタプラグ１０では、外部端子１４ｂは、突起１６ｂのｚ軸方向の正方向側において、絶縁体１６からｘ軸方向の正方向側に引き出されている。これにより、外部導体１２ａと外部端子１４ｂとの間には、絶縁材料により作製された突起１６ｂが存在するようになる。その結果、外部導体１２ａと外部端子１４ｂとの間の絶縁性が向上し、これらの間においてショートが発生することが抑制される。
【００４５】
（変形例）
以下に、変形例に係る同軸コネクタレセプタクル１１０’について図面を参照しながら説明する。図１２は、変形例に係る同軸コネクタレセプタクル１１０’の外観斜視図である。
【００４６】
図１２に示すように、同軸コネクタレセプタクル１１０’の外部導体１１２ａには、スリットＳ’が設けられている。そして、絶縁体１１６は、ｘ軸方向の負方向側の辺近傍においてｚ軸方向の正方向側に向かって突出する突起１１６ｂを含んでいる。突起１１６ｂは、スリットＳ’内に位置している。このような同軸コネクタレセプタクル１１０’も、同軸コネクタプラグ１０と同様に、吸着ノズルにより安定して吸着される。
【産業上の利用可能性】
【００４７】
以上のように、本発明は、同軸コネクタプラグ及び同軸コネクタレセプタクルに有用であり、特に、吸着ノズルにより安定して吸着できる点において優れている。
【符号の説明】
【００４８】
Ｓ，Ｓ’  スリット
１０  同軸コネクタプラグ
１２，１１２  外部導体部
１２ａ，１１２ａ  外部導体
１２ｂ〜１２ｄ，１１２ｂ〜１１２ｄ  外部端子
１４，１１４  中心導体部
１４ａ，１１４ａ  中心導体
１４ｂ，１１４ｂ  外部端子
１６，１１６  絶縁体
１６ａ  ベース部
１６ｂ，１１６ｂ  突起
１１０，１１０’  同軸コネクタレセプタクル
２００  吸着ノズル
【図１】
0005488771.tif 000002
【図２】
0005488771.tif 000003
【図３】
0005488771.tif 000004
【図４】
0005488771.tif 000005
【図５】
0005488771.tif 000006
【図６】
0005488771.tif 000007
【図７】
0005488771.tif 000008
【図８】
0005488771.tif 000009
【図９】
0005488771.tif 000010
【図１０】
0005488771.tif 000011
【図１１】
0005488771.tif 000012
【図１２】
0005488771.tif 000013
【図１３】
0005488771.tif 000014